(57)【要約】【課題】  本発明は熱交換器を通じてドラムから排出される内部空気とドラムに吸入される外部空気を熱交換させることによって熱交換率を向上させもって乾燥効率を向上させることができるドラム洗濯機を提供する。【解決手段】  本発明によるドラム洗濯機は、ドラム２０と；ドラム２０と連通設置され、ドラム２０の内部空気を外部に排出する排気ダクト３０と；ドラム２０と連通設置され、排気ダクト３０を通じて外部に排出される内部空気の流動方向と交差するように外部空気をドラム２０の内部に吸入する吸気ダクト４０と；排気ダクト３０及び吸気ダクト４０と連結され、排気ダクト３０を通じて外部に排出される内部空気が通過する第１流路５２及び吸気ダクト４０を通じてドラム２０の内部に吸入される外部空気が通過する第２流路５４が交差するように形成されている熱交換器５０とを含んで構成される。【選択図】      図２Ａ 
2006026407.tif 000002
【特許請求の範囲】
【請求項１】
ドラムと、
前記ドラムと連通設置され、前記ドラムの内部空気を外部に排出する排気ダクトと、
前記ドラムと連通設置され、前記排気ダクトを通じて外部に排出される内部空気の流動方向と交差するように外部空気を前記ドラムの内部に吸入する吸気ダクトと、
前記排気ダクト及び前記吸気ダクトと連結され、前記排気ダクトを通じて外部に排出される内部空気が通過する第１流路及び前記吸気ダクトを通じて前記ドラムの内部に吸入される外部空気が通過する第２流路が交差するように形成されている熱交換器とを含むことを特徴とするドラム洗濯機。
【請求項２】
前記第１流路及び前記第２流路は各々複数個設けられ、交互に積層配置されることを特徴とする請求項１に記載のドラム洗濯機。
【請求項３】
前記第１流路及び前記第２流路は各々波形の断面を有することを特徴とする請求項２に記載のドラム洗濯機。
【請求項４】
前記第１流路及び前記第２流路はアルミニウム材質を含んでなることを特徴とする請求項１乃至請求項３のうちのいずれか一項に記載のドラム洗濯機。
【請求項５】
前記排気ダクト及び前記吸気ダクトと連通設置され、前記熱交換器を通過する内部空気の流れを円滑に維持する内部循環ダクトをさらに含むことを特徴とする請求項１に記載のダクト洗濯機。
【請求項６】
前記熱交換器の第１流路と連通設置され、前記第１流路を通過した内部空気の湿度を低める湿度調節部材をさらに含むことを特徴とする請求項１に記載のドラム洗濯機
【請求項７】
前記湿度調節部材は多孔性物質を含んでなることを特徴とする請求項６に記載のドラム洗濯機。
【請求項８】
前記湿度調節部材は、前記熱交換器と連通設置され、一側が開放されているケーシングと；前記ケーシングの内部に内部空気が通過できるように充填されている充填材とを含むことを特徴とする請求項６に記載のドラム洗濯機。
【請求項９】
前記熱交換器の後方で外部空気を送風して、前記熱交換器を通じて外部に排出される内部空気の温度を低めることができる温度調節ファンをさらに含むことを特徴とする請求項１に記載のドラム洗濯機。
【請求項１０】
前記第１流路及び前記第２流路は各々複数個設けられ、交互に積層配置されることを特徴とする請求項６に記載のドラム洗濯機。
【請求項１１】
前記第１流路及び第２流路は各々波形の断面を有することを特徴とする請求項１０に記載のドラム洗濯機。
【請求項１２】
前記第１流路及び第２流路はアルミニウム材質を含んでなることを特徴とする請求項１０または請求項１１に記載のドラム洗濯機。
【請求項１３】
前記排気ダクト及び前記吸気ダクトと連通設置され、前記熱交換器を通過する内部空気の流れを円滑に維持する内部循環ダクトをさらに含むことを特徴とする請求項６に記載のドラム洗濯機。
【発明の詳細な説明】
【技術分野】
【０００１】
本発明はドラム洗濯機に係わり、より詳しくは、熱交換器を通じてドラムから排出される内部空気とドラムに吸入される外部空気を熱交換させることによって乾燥効率を向上させることができるようにしたドラム洗濯機に関する。
【背景技術】
【０００２】
一般に、ドラム洗濯機は少量の水を使用し洗濯槽を３６０°反復的に回転させて洗濯物を上から下に落とす衝撃で洗濯を行う洗濯機の一種であり、洗濯物の洗濯だけでなく、すすぎ、脱水及び乾燥などのような多様な機能を備えている。
【０００３】
ドラム洗濯機の乾燥方式は、ドラムから排出される内部空気を循環させて洗濯物を乾燥させる循環乾燥方式と、外部空気をドラムの内部に吸入して洗濯物を乾燥させる非循環乾燥方式とに区分される。
【０００４】
従来の非循環乾燥方式ドラム洗濯機は図１に示されているように、ドラム１と；外部空気をドラム１の内部に吸入する吸気ダクト２と；吸気ダクト２の一側に設けられ、外部空気をドラム１の内部に誘導する循環ファン３と；吸気ダクト２の内部に吸入された外部空気を加熱するヒーター４と；乾燥過程を経たドラム１の内部空気を外部に排出する排気ダクト５と；吸気ダクト２を通過する外部空気及び排気ダクト５を通過する内部空気を熱交換させる熱交換器６とを含んで構成される。
【０００５】
このようなドラム洗濯機はドラム１の内部に吸入される外部空気の温度を上昇させてヒーター４の消費電力を減らすことができるだけでなく、外部に排出される内部空気の温度を低くすることができるという長所がある。このような構成を有する従来のドラム洗濯機は次の特許文献１に開示されている。
【特許文献１】韓国特許出願１０−２０００−００５９２７４号
【発明の開示】
【発明が解決しようとする課題】
【０００６】
しかし、このような従来のドラム洗濯機は、熱交換器６を通過する吸気ダクト２及び排気ダクト５が空気の流動方向が相反するように互いに並んで配置されている構造を有しているため、熱交換器６による外部空気及び内部空気間の熱交換効率を向上させることには限界がある。
【０００７】
また、外部に排出される内部空気の温度及び湿度が室内に存在している外部空気の温度及び湿度に比べて相対的に高い。従って、熱交換器を通過する過程で内部空気の温度及び湿度がある程度低くなったとしても、これを室内に直接排出することには多少無理がある。
【０００８】
従って、本発明は前記のような問題点を解決するために創出されたものであって、熱交換効率を向上させることができるドラム洗濯機を提供することに目的がある。
【０００９】
また、本発明は前記のような問題点を解決するために、熱交換効率を向上させることができるだけでなく、外部に排出される内部空気の温度及び湿度を最少化することができるドラム洗濯機を提供することに目的がある。
【課題を解決するための手段】
【００１０】
このような目的を達成するために本発明は、ドラムと；前記ドラムと連通設置され、前記ドラムの内部空気を外部に排出する排気ダクトと；前記ドラムと連通設置され、前記排気ダクトを通じて外部に排出される内部空気の流動方向と交差するように外部空気を前記ドラムの内部に吸入する吸気ダクトと；前記排気ダクト及び前記吸気ダクトと連結され、前記排気ダクトを通じて外部に排出される内部空気が通過する第１流路及び前記吸気ダクトを通じて前記ドラムの内部に吸入される外部空気が通過する第２流路が交差するように形成されている熱交換器とを含んで構成されることに特徴がある。
【００１１】
前記第１流路及び前記第２流路は各々複数個設けられ、交互に積層配置されるのが好ましい。前記第１流路及び前記第２流路は各々波形の断面を有するのが好ましい。前記第１流路及び前記第２流路はアルミニウム材質を含んでなることが好ましい。
【００１２】
前記排気ダクト及び前記吸気ダクトと連通設置され、前記熱交換器を通過する内部空気の流れを円滑に維持する内部循環ダクトをさらに含むことができる。
【００１３】
また、本発明は、前記熱交換器の第１流路と連通設置され、前記第１流路を通過した内部空気の湿度を低める湿度調節部材をさらに含むことが好ましい。
【００１４】
前記湿度調節部材は多孔性物質を含んでなることが好ましい。前記湿度調節部材は、前記熱交換器と連通設置され、一側が開放されているケーシングと；前記ケーシングの内部に内部空気が通過できるように充填されている充填材とを含むことが好ましい。
【００１５】
前記熱交換器の後方で外部空気を送風して、前記熱交換器を通じて外部に排出される内部空気の温度を低めることができる温度調節ファンをさらに含むことができる。
【００１６】
前記第１流路及び前記第２流路は各々複数個設けられ、交互に積層配置されるのが好ましい。前記第１流路及び第２流路は各々波形の断面を有するのが好ましい。前記第１流路及び第２流路はアルミニウム材質を含んでなることが好ましい。
【００１７】
前記排気ダクト及び前記吸気ダクトと連通設置され、前記熱交換器を通過する内部空気の流れを円滑に維持する内部循環ダクトをさらに含むことができる。
【発明の効果】
【００１８】
本発明によるドラム洗濯機は、熱交換器を通過する内部空気及び外部空気間の熱交換効率が極大化されることにより乾燥時間を短縮することができるだけでなく乾燥効率を一層向上させることができる。
【発明を実施するための最良の形態】
【００１９】
以下、添付図面を参照して本発明の好ましい実施形態を説明する。
【００２０】
図２Ａに示されているように、本発明によるドラム洗濯機はドラム２０と；ドラム２０と連通設置され、ドラム２０の内部空気を外部に排出する排気ダクト３０と；ドラム２０と連通設置され、排気ダクト３０を通じて外部に排出される内部空気の流動方向と交差するように外部空気をドラム２０の内部に吸入する吸気ダクト４０と；排気ダクト３０及び吸気ダクト４０と連結され、排気ダクト３０を通じて外部に排出される内部空気と吸気ダクト４０を通じて内部に吸入される外部空気を相互熱交換させる熱交換器５０とを含んで構成される。
【００２１】
図２Ｂに示されているように、本発明の第２実施形態によるドラム洗濯機は図２Ａに示されたドラム洗濯機と大同小異であり、但し、排気ダクト３０及び熱交換器５０を通過して外部に排出される空気の湿度を低める湿度調節部材９０をさらに含んで構成される。
【００２２】
以下、図２Ａ及び図２Ｂを参考して本発明の第１実施形態及び第２実施形態によるドラム洗濯機について説明する。また、別途に言及されるものは除いて、以下の説明は図２Ａ及び図２Ｂのドラム洗濯機に共に適用される。
【００２３】
ドラム２０には、排気ダクト３０と連結される空気排出口２２及び吸気ダクト４０と連結される空気吸入口２４が各々形成されている。
【００２４】
排気ダクト３０の一側端部はドラム２０の空気排出口２２と連通設置され、他側端部は熱交換器５０と連通設置される。そして、吸気ダクト４０の一側端部はドラム２０の空気吸入口２４と連通設置され、他側端部は熱交換器５０と連通設置される。
【００２５】
吸気ダクト４０には、ドラム２０内部での洗濯物脱水動作が完了した後に洗濯物を乾燥させるためのファン６０及びヒーター７０が設置されている。ファン６０は外部空気を吸気ダクト４０の内部に吸入してヒーター７０に向かって送風させ、ヒーター７０はファン６０によって送風される空気を加熱させる。
【００２６】
したがって、ファン６０によって送風される空気が吸気ダクト４０を通過しながらヒーター７０によって加熱された後、ドラム２０の空気流入口２４を通じてドラム２０の内部に流入されることにより洗濯物を加熱乾燥させることができる。洗濯物の乾燥過程で発生した内部空気はドラム２０の空気排出口２２を通じて排気ダクト３０に流入され、排気ダクト３０に流入された内部空気は熱交換器５０を通過する過程で外部から熱交換器５０に流入された外部空気と熱交換され低温の空気に変換されて外部に排出される。そして、外部空気は熱交換器５０を通過する内部空気と熱交換され、高温の空気に変換されて吸気ダクト４０を通じてドラム２０の内部に流入される。
【００２７】
熱交換器５０は熱交換効率を高めることができるように内部空気及び外部空気が通過する空気流路が交差するように形成されている。例えば、図３Ａ、図３Ｂ及び図４のように、排気ダクト３０を通じて外部に排出される内部空気が通過する第１流路５２及び吸気ダクト４０を通じてドラム２０の内部に吸入される外部空気が通過する第２流路５４が交差するように形成されている。
【００２８】
したがって、排気ダクト３０を通じて外部に排出される高温の空気は熱を奪われ低温に変換され、更に、吸気ダクト４０を通じて内部に吸入される低温の空気には熱が供給され高温に変換されることができる。したがって、乾燥効率を向上させることができるだけでなく、外部に排出される空気を建物外部に排出せず洗濯室内に排出可能なので、設置費を節減することができる。
【００２９】
熱交換器５０の第１流路５２及び第２流路５４は各々複数個設けられ、交互に積層配置された構造を有している。第１流路５２及び第２流路５４は各々波形の断面を有し、熱伝逹の優れたアルミニウム材質を含んでなることが好ましい。
【００３０】
第１流路５２及び第２流路５４の形状及び材質などは内部空気及び外部空気の流動方向が交差できる範囲内で必要に応じて多様に変更可能であることはもちろんである。
【００３１】
一方、本発明のような熱交換器５０構造を採択する場合には、ドラム２０の内部空気が熱交換器５０を通過する時に発生する圧力損失によって内部圧力が増加する可能性がある。これを防止するためには、熱交換器５０を通過する内部空気の流れを円滑に維持することができるように、排気ダクト３０及び吸気ダクト４０と連通するように内部循環ダクト８０が設置されるのが好ましい。
【００３２】
内部循環ダクト８０に流入される内部空気の量は直径の調節または干渉突起の形成などによって適切に調節することができ、内部循環ダクト８０は従来のドラム洗濯機に設置されている凝縮ダクトを活用することができる。
【００３３】
図２Ｂに示されているように、本発明の第２実施形態によるドラム洗濯機は湿度調節部材９０をさらに含んで構成される。湿度調節部材９０は図３Ｂ及び図５のように熱交換器５０の第１流路５２と連通設置され、熱交換器５０の第１流路５２を通過して外部に排出される内部空気の湿度を低める役割を果たす。
【００３４】
湿度調節部材９０は熱交換機器５０を通過して外部に排出される内部空気中に含まれた湿気を除去することができる。従って、室内空気とほとんど類似した湿度を有する空気を排出することができるので、建物の外部ではなく室内への排出が可能になる。
【００３５】
湿度調節部材９０の構造は熱交換器５０の第１流路５２を通過して外部に排出される内部空気の湿度を低下させることができる範囲内で多様に変更可能である。例えば、図５のように熱交換器５０と連通設置され、一側が開放されているケーシング９２と；ケーシング９２の内部に空気が通過できるように充填される充填材９４とを含んで構成することができる。従って、外部に排出される内部空気が充填材９４の間空間を通過しながら湿気が除去される。
【００３６】
ケーシング９２は充填材９４の間空間を通過した内部空気が外部に排出されるように一側に多数のエアベント９１が形成されている。エアベント９１の位置は必要に応じて多様に変更可能である。
【００３７】
湿度調節部材９０はそれ自体を多孔性物質を含んで構成することもできる。
【００３８】
そして、図６に示されているように、熱交換器５０の後方に温度調節ファン９２を追加設置して、外部空気を熱交換器５０に向かって送風することによって熱交換器５０を通じて外部に排出される内部空気の温度をさらに低めることができるようになっている。図６に示された熱交換器５０は湿度調節部材９０をさらに含むものと説明されたが、湿度調節部材９０の代わりに温度調節ファン９２をさらに含むこともできるのはもちろんである。
【００３９】
温度調節ファン９２の構造は公知された形態のものを選択的に適用することができ、本明細書ではその説明を省略する。
【図面の簡単な説明】
【００４０】
【図１】従来のドラム洗濯機を概略的に示した構成図である。
【図２Ａ】本発明の第１実施形態によるドラム洗濯機を概略的に示した構成図である。
【図２Ｂ】本発明の第２実施形態によるドラム洗濯機を概略的に示した構成図である。
【図３Ａ】本発明の第１実施形態によるドラム洗濯機の熱交換器を通過する内部空気及び外部空気の流動方向を示した状態図である。
【図３Ｂ】本発明の第２実施形態によるドラム洗濯機の熱交換器及び温度調節部材を通過する内部空気及び外部空気の流動方向を示した状態図である。
【図４】本発明によるドラム洗濯機の熱交換器の内部構造を示した拡大斜視図である。
【図５】本発明の第２実施形態によるドラム洗濯機の温度調節部材の構造を示した断面図である。
【図６】本発明の第２実施形態によるドラム洗濯機に温度調節ファンが備えられた状態を示した概略図である。
【符号の説明】
【００４１】
２０  ドラム
２２  空気排出口
２４  空気吸入口
３０  排気ダクト
４０  吸気ダクト
５０  熱交換器
５２  第１流路
５４  第２流路
６０  ファン
７０  ヒーター
８０  内部循環ダクト
９０  湿度調節部材
９１  エアベント
９２  ケーシング
９２  温度調節ファン
９４  充填材
【図１】
2006026407.tif 000003
【図２Ａ】
2006026407.tif 000004
【図２Ｂ】
2006026407.tif 000005
【図３Ａ】
2006026407.tif 000006
【図３Ｂ】
2006026407.tif 000007
【図４】
2006026407.tif 000008
【図５】
2006026407.tif 000009
【図６】
2006026407.tif 000010